(57)【要約】  本発明は、内部ロータポンプとして構成された電動モータ型自動車用軸流液ポンプ（１０）に関する。電動モータ型自動車用軸流液ポンプ（１０）は、液体の吸い込み及び吐出のために軸線方向の入口開口（１４）及び軸線方向の出口開口（１６）を形成するポンプハウジング（１２）と、前記ポンプハウジング（１２）内に備えられた電動モータ（１７）とを含む。電動モータ（１７）は、少なくとも１つの外側ステータコイル（２０）を備えたモータステータ（１８）と、ステータコイル（２０）の径方向内側に形成されたキャン（２２）と、軸流インペラとして構成されたロータ本体（３２）とを有する。ロータ本体（３２）は、キャン（２２）の内側に回転可能に配置され、少なくとも１つのブレード（３６）を有し、翼ブレードは、入口開口（１４）から出口開口（１６）まで液体をロータ本体（３２）の回転軸線（３３）に沿って送出し、前記ロータ本体（３２）は永久的な磁気構成を備えている。【選択図】図１
2018534473.tif 000002
【特許請求の範囲】
【請求項１】
内部ロータポンプとして構成された電動モータ型自動車用軸流液ポンプ（１０）において、
液体の吸い込み及び吐出のために軸線方向の入口開口（１４）及び軸線方向の出口開口（１６）を形成するポンプハウジング（１２）と、
前記ポンプハウジング（１２）内に備えられた電動モータ（１７）であって、
少なくとも１つの外側ステータコイル（２０）を備えたモータステータ（１８）、
前記ステータコイル（２０）の径方向内側に形成されたキャン（２２）、及び
軸流インペラとして構成され且つ前記キャン（２２）の内側に回転可能に配置されたロータ本体（３２）を有する、電動モータ（１７）と
を具備し、
前記ロータ本体（３２）は、少なくとも１つのブレード（３６）を有し、
前記ブレードは、前記入口開口（１４）から前記出口開口（１６）まで前記ロータ本体（３２）の回転軸線（３３）に沿って液体を送出し、前記ロータ本体（３２）は永久的な磁気特性を有する、電動モータ型自動車用軸流液ポンプ（１０）。
【請求項２】
前記モータステータ（１８）は複数の外側ステータコイル（２０）を有する、請求項１に記載の電動モータ型自動車用軸流液ポンプ（１０）。
【請求項３】
前記ロータ本体（３２）は一体品である、請求項１又は２に記載の電動モータ型自動車用軸流液ポンプ（１０）。
【請求項４】
前記モータステータ（１８）は、プラスチックの射出成形体内に少なくとも部分的に埋め込まれ、前記射出成形体は前記キャン（２２）を形成する、請求項１〜３の何れかに記載の電動モータ型自動車用軸流液ポンプ（１０）。
【請求項５】
前記ロータ本体（３２）は、プラスチックで結合された永久磁石粒子、特に好ましくはネオジム粒子及び／又はフェライト粒子を有する、請求項１〜４の何れかに記載の電動モータ型自動車用軸流液ポンプ（１０）。
【請求項６】
前記ロータ本体（３２）はプラスチック材料からなり、該プラスチック材料内に永久磁石を備えたロータシートが埋め込まれている、請求項１〜５の何れかに記載の電動モータ型自動車用軸流液ポンプ（１０）。
【請求項７】
前記ロータ本体（３２）は複数のブレード（３６）を有する、請求項１〜６の何れかに記載の電動モータ型自動車用軸流液ポンプ（１０）。
【発明の詳細な説明】
【技術分野】
【０００１】
本発明は、内部ロータポンプとして構成された電動モータ型自動車用軸流液ポンプに関する。
【背景技術】
【０００２】
電動モータ型自動車用軸流液ポンプは、液体の吸い込み及び吐出のために軸線方向の入口開口及び軸線方向の出口開口を形成するポンプハウジングと、インペラを駆動する電動モータとを含む。
【発明の概要】
【発明が解決しようとする課題】
【０００３】
従来技術から種々の電動モータ型自動車用軸流液ポンプが公知であり、これらポンプでは、電動モータが軸を介してインペラを駆動する。
【０００４】
本発明の目的は、簡単に構成でき且つ経済的にも製造可能な電動モータ型自動車用軸流液ポンプを提供することにある。
【課題を解決するための手段】
【０００５】
前記目的は、独立請求項１の電動モータ型自動車用軸流液ポンプによって解決される。
【０００６】
本発明の電動モータ型自動車用軸流液ポンプの場合、電動モータはキャンを有し、該キャンは少なくとも１つのステータコイルの径方向内側に配置されている。キャンは電子室から作動室を分離し、該作動室内に送出すべき液体が位置付けられている。キャンはポンプハウジングの一部であってもよい。キャンの内側にはロータ本体が回転可能に配置され、該ロータ本体は少なくとも１つのブレードを有し、電動モータ型自動車用軸流液ポンプの入口開口から出口開口に向けて液体を送出する。更に、ロータ本体は永久的な磁気構成を備えている。従って、ロータ本体はロータ及インペラを結合した一体の構成部品を形成する。本発明の構成に起因して、別個のインペラを駆動するための軸等の別の構成部品が省略される。それ故、電動モータ型自動車用軸流液ポンプは迅速且つ簡単に、従って経済的に製造可能である。
【０００７】
好ましくは、モータステータ複数の外側ステータコイルを有する。
【０００８】
好適な実施形態において、ロータ本体は一体成形されている。
【０００９】
本発明の好適な実施形態によれば、複数のステータコイルを有するモータステータは、プラスチックの射出成形体内に少なくとも部分的に埋め込まれ、該射出成形体はキャンを形成する。好適な実施形態によれば、キャンはステータコイルの径方向内側に構成されている。従って、別個の構成部品として備えられたキャンを省略でき、そして、より迅速且つ簡単にして電動モータ型自動車用軸流液ポンプの製造が可能となる。
【００１０】
他の好適な実施形態において、ロータ本体及びキャンは協働し、１つの滑り軸受を構成する。本発明の趣旨での滑り軸受は、ロータ本体の外周面とキャンの内周面との間に液体で満たされた隙間を備えてなるロータ本体及びキャンの配置として理解されるべきである。従って、ロータ本体を回転可能に支持するために付加的な構成部品が要求されることはない。それ故、更なる別の構成部品の省略が可能となり、電動モータ型自動車用軸流液ポンプの迅速且つ経済的な製造が可能となる。
【００１１】
好ましくは、滑り軸受はその軸線長さの全体に亘って、円筒状で且つ段付き無しに構成される。このような滑り軸受は製造を容易にする利点を提供する。付け加えて、このような滑り軸受の組み付けもまた容易である。
【００１２】
別の好適な実施形態によれば、ロータ本体はプラチックで結合された永久的な磁気粒子を含む。永久的な磁気粒子は、ネオジム粒子及び／又はフェライト粒子であるのが特に好ましい。このようなロータ本体は特に安価に製造可能となり、対応の電動モータ型自動車用軸流液ポンプのコスト的な有効性が高まる。付け加えて、このようなロータ本体は、完全な金属ロータよりも小さな質量慣性モーメントを有し、これにより、電動モータ型自動車用軸流液ポンプの有効効率が改善される。
【００１３】
代替的には、ロータ本体は、複数の永久磁石を備えた複数のロータシートが埋め込まれたプラスチックからなる。このようにして製造されたロータ本体は通常のよう製造され、従って安価となる利点を提供する。
【００１４】
本発明の好適な実施形態によれば、ロータ本体は、複数のブレード、特に好ましくは７つのブレードを有するべく構成されている。ブレードの数は、ポンプに要求される液圧力に従って選択される。
【００１５】
本発明の更なる詳細や利点は、図面と提携した実施形態の後述の説明から明らかとなる。
【図面の簡単な説明】
【００１６】
【図１】本発明に係る電動モータ型自動車用軸流液ポンプを示す縦断面図である。
【発明を実施するための形態】
【００１７】
図１は本発明に係る電動モータ型自動車用軸流液ポンプ１０を示し、該ポンプ１０の駆動モータは内蔵のロータポンプとして構成されている。電動モータ型の自動車用軸流液ポンプ１０は、２つの部分からなるポンプハウジング１２を含み、該ポンプハウジング１２は軸流液ポンプ１０内に液体を吸い込む軸線方向の入口開口１４を形成している。軸線方向でみて入口開口１４とは反対側のポンプハウジング１２の長手方向端には、自動車用電動軸流液ポンプ１０から液体を吐出するために出口開口１６が備えられている。
【００１８】
更に、自動車用軸流液ポンプ１０は駆動モータとしての電動モータ１７を含み、該電動モータ１７はポンプハウジング１２内に備えられている。電動モータ１７はポンプハウジング１２内に配置された径方向外側のモータステータ１８を含む。該モータステータ１８は、磁束還流体(reflux body)１９及びステータコイル２０を有する。ステータコイル２０に供給される電流は、吐出側の端に備えられた径方向外側の電子ユニット２１を介して制御される。
【００１９】
ステータコイル２０の径方向内側にて、モータステータ１８の磁束還流体１９はプラスチックの射出成形体内に埋め込まれ、該射出成形体はキャン(can)２２を形成する。該キャン２２は入口側のリングシール２４及び出口側のリングシール２６を介してポンプハウジング１２に密に支えられ、送出されるべき液体が存在する作動室２８を電子室３０から流体的に分離している。キャン２２の内側には、電動モータ１７の軸流インペラとして構成されロータ本体３２が配置され、該ロータ本体３２は入口開口１４から出口開口１６まで液体を該ロータ本体３２の回転軸線３３に沿って送り込む。ロータ本体３２は、中空円筒３４と、該中空円筒３４の内部に備えられ且つ軸線方向に延びる７つのブレード３６からなる。
【符号の説明】
【００２０】
１０            電動モータ型自動車用軸流液ポンプ
１２            ポンプハウジング
１４            入口開口
１６            出口開口
１７            電動モータ
１８            モータステータ
１９            磁束還流体
２０            ステータコイル
２１            電子ユニット
２２            キャン
２４            入口側リングシール
２６            出口側リングシール
２８            作動室
３０            電子室
３２            ロータ本体
３３            回転軸線
３４            中空円筒
３６            ブレード
【図１】
2018534473.tif 000003
【国際調査報告】
2018534473.tif 000004
2018534473.tif 000005
2018534473.tif 000006
2018534473.tif 000007
2018534473.tif 000008
2018534473.tif 000009